(57)【特許請求の範囲】
【請求項１】
幼児安全機能を有するガスライターであって、
可燃性ガスを保持するための容器（１、１９）と、
前記容器から前記ガスを解放することを可能とするために前記容器の頂面に取り付けられたバルブ（２、２０）と、
バルブアクチュエータであって、第１端部に配置された押しボタン（８、８０）と当該バルブアクチュエータを前記バルブ（２、２０）に接続するために第２端部に配置された接続組立体とを有する、バルブアクチュエータと、
前記押しボタンの下面及び前記容器の壁部に対して付勢された第１バネ（１０、１００）と、
回転可能な少なくとも２つのチーク（６、６０）と同軸に取り付けられたスパークホイール（５、５０）と、
前記スパークホイールの下方に配置された移動可能なスリーブ（１１、１１０）と、
前記スリーブ内に完全に収容された第２バネ（１４）と、
前記スリーブ内で前記第２バネの頂面に配置された発火石（１５）と、
前記チークを完全にまたは部分的に覆うように配置されたフード（９、９０）と、
少なくとも２つの支持アーム（１２、１２０）であって、当該アームそれぞれが前記チークと同軸に取り付けられた第１端部と前記容器に配置されたベアリングへの回動接続部を有する第２端部とを有する、支持アームと、
を備え、
ライターのための初期静止位置において、前記チーク（６、６０）が、前記ライターの側面視で、前記フード（９、９０）の内側に配置されており、
当該ライターの初期静止位置において、前記フード（９、９０）が、前記チーク（６、６０）を完全に覆うように配置されている一方、当該ライターの中間位置または最終点火位置において、前記フード（９、９０）が、前記チーク（９、９０）を部分的に覆っていることを特徴とするガスライター。
【請求項２】
当該ライターが初期静止位置から最終点火位置まで動作しているときに、前記スパークホイール（５、５０）、前記チーク（６、６０）及び前記スリーブ（１１、１１０）が、前記容器（１、１９）に対して回転することを特徴とする請求項１に記載のガスライター。
【請求項３】
前記バルブアクチュエータ（４）、前記第１バネ（１０）、前記スパークホイール（５）、前記チーク（６）、前記支持アーム（１２）、前記スリーブ（１１）、前記第２バネ（１４）及び前記発火石（１５）が、一体的なユニットであることを特徴とする請求項１または２に記載のガスライター。
【請求項４】
前記スパークホイール（５０）、前記チーク（６０）、前記スリーブ（１１０）、前記第２バネ（１４）及び前記発火石（１５）を有する着火システムが、前記バルブアクチュエータ（４０）及び前記バルブ（２０）を有するガス開放システムから独立していることを特徴とする請求項１または２に記載のガスライター。
【請求項５】
初期静止位置において、当該ライターの側面視から、前記スパークホイール（５、５０）及び前記チーク（６、６０）が、前記フードの下で視認可能でないことを特徴とする請求項１から４のいずれか１項に記載のガスライター。
【請求項６】
当該ライターの最終点火位置において、前記押しボタン（８、８０）が、押下されていることを特徴とする請求項１から５のいずれか１項に記載のガスライター。
【請求項７】
前記回動接続部が、分岐型の回動接続部を有することを特徴とする請求項１から６のいずれか１項に記載のガスライター。
【請求項８】
前記チーク（６、６０）が、周縁部の回りにある複数の歯部（６ａ）を有し、
前記歯部それぞれが、前記チークの内縁部に配置されたリブ（６ｂ、６ｃ）によって隣接する歯部に接続されていることを特徴とする請求項１から７のいずれか１項に記載のガスライター。
【請求項９】
前記リブ（６ｂ、６ｃ）それぞれが、凹形状を有することを特徴とする請求項８に記載のガスライター。
【請求項１０】
前記リブ（６ｂ、６ｃ）それぞれが、前記歯部（６ａ）それぞれの高さとほぼ同等の高さを有することを特徴とする請求項８または９に記載のガスライター。
【請求項１１】
前記フードが、当該フード（９）の一側から他側に向けて横方向に延在するアクセス最小化部材を有し、前記チーク（６）の上側部分を覆うことを特徴とする請求項１から１０のいずれか１項に記載のガスライター。
【請求項１２】
前記アクセス最小化部材が、ガス出口（２２）の側部にある前記チーク（６）の前方上側部分を覆うことを特徴とする請求項１１に記載のガスライター。
【請求項１３】
前記アクセス最小化部材が、前記フードの一側から前記フードの他側まで延在するほぼ矩形状を有する一部材を有することを特徴とする請求項１１または１２に記載のガスライター。
【請求項１４】
前記アクセス最小化部材が、少なくとも２つの部材（９ａ、９ｂ）を有し、
前記部材それぞれが、前記フードの一側から延在するが他方の前記部材に接続されないほぼ矩形状を有することを特徴とする請求項１１から１３のいずれか１項に記載のガスライター。
【請求項１５】
前記第１バネ（１０、１００）が、押しボタンアクチュエータの下面に対して付勢されていることを特徴とする請求項１から１４のいずれか１項に記載のガスライター。
【請求項１６】
前記可燃性ガスが、液化石油ガスを含むことを特徴とする請求項１から１５のいずれか１項に記載のガスライター。
【請求項１７】
初期静止位置において、前記押しボタン（８、８０）が、押下されておらず、前記バルブ（２、２０）が、閉鎖位置にあることを特徴とする請求項１から１６のいずれか１項に記載のガスライター。
【請求項１８】
最終点火位置において、前記バルブ（２、２０）が、開放位置にあることを特徴とする請求項１から１７のいずれか１項に記載のガスライター。
【請求項１９】
初期静止位置において、前記第１バネ（１０、１００）が、伸長状態にあることを特徴とする請求項１から１８のいずれか１項に記載のガスライター。
【請求項２０】
最終点火位置において、前記第１バネ（１０、１００）が、圧縮状態にあることを特徴とする請求項１から１９のいずれか１項に記載のガスライター。
【請求項２１】
最終点火位置において、前記発火石（１５）が、前記スパークホイール（５、５０）と接触することを特徴とする請求項１から２０のいずれか１項に記載のガスライター。
【発明の詳細な説明】
【技術分野】
【０００１】
本発明の形態は、５歳未満の幼児によっては容易に使用可能でない安全な着火システムを有するガスライターに関する。
【背景技術】
【０００２】
当業者がすでに理解していることは、ガスライターが、一般的に、液化石油ガスを収容するガス容器と、容器にあり、燃料が所定流量だけ容器から出ることを可能とするバルブと、バルブの開閉システムと、着火システムと、を備えることである。技術的に公知のライターは、主として、自然性の発火石を有し、この発火石は、容器から出たガスをスパークホイールと協働して点火する火花を作り出す。スパークホイールは、主として、軸に取り付けられた２つのチーク間で軸に組み込まれており、２つのチークは、全体的に、フードによって保護されている。スパークホイールは、主として、シリンダ状を有しており、チークは、スパークホイールの外径よりもかなり大きい外径を有するディスクを有する。チークの周縁部は、主として、表面を粗面化させる凹凸を有する。したがって、ユーザは、指をチーク上で滑らせずに、指でスパークホイールを容易に作動できる。
【０００３】
また、当業者がすでに理解していることは、上述した機構を有するガスライターに関して、石と接触するスパークホイールをチークの中間とユーザの指とによって回転させると、たくさんの火花が形成され、続いて、ガスの開口部のフォークにあるこの同一の指の作動（「回転・押圧」システム）として技術的に称される）により、大量のガスが解放される。そして、たくさんの火花は、フードの上方で炎を作り出すことによって、ガスを着火させる。したがって、上述した一般的なライターは、炎を作り出して維持するために、ユーザからの積極的な作動を必要とするのみであり、また、第１段階においてスパークホイールの回転を開始させる接線方向の運動のみを必要とし、そして、ガス開放フォークに作用して炎を作り出すことで終了する。５歳未満の子供が上述したライターを用いて炎を作り出せないようにこのようなライターを使用する困難性を増大させるために努力がなされている。例えば、特許文献１には、滑らかなチークを用いて子供がチークを回転させることを困難とするライターが記載されている。同様に、特許文献２は、２つのプレート７、８間に配置された歯輪６を有するライターを対象とし、これら２つのプレートは、より大きな直径を有し、歯輪６に対して回転自在である。特許文献２において、ユーザは、ユーザの親指１０の軟塊(pulp)における変形による摩擦によって歯輪６を作動させる、すなわち、子供は、子供の指が十分に厚くないので、ライターを同様に作動できない。
【０００４】
他の米国特許文献は、子供がこれらを使用することを困難とするチャイルドプルーフ機構を開示している。例えば、特許文献３は、スパークホイール回転シャフトを対象とした機構を有する「ポケットライター」を対象としており、この機構は、ハウジング内の第１及び第２位置で配置されることが可能であり（図１の参照符号１２及び１３参照）、図８に示す第１位置は、スパークホイールが回転することを阻止させ、図９に示す第２位置は、スパークホイールが阻止解除されて発火石にぶつかって必要な火花を引き起こすことを可能とする。また、特許文献４は、「自然発火性の発火石及びスパークホイール着火システムを備えるガス安全ライター」を対象としており、容器に取り付けられたバルブの動作を許可する作用位置（図８参照）とレバーへの作用がバルブの動作を許可しない静止位置（図５参照）との間でライターの本体に対して移動可能に取り付けられたバルブレバーの軸に関連する機構を有する。
【０００５】
上述した従来技術に関連するライターは、スパークホイールのチークにアクセスすることを抑制するためにさらなるデバイスを必要とし、これらは、スパークホイールの駆動をより困難とし、これらは、ガス開放フォークの運動を阻止し、着火システム及びガス開放システムの一部は、通常、子供により視認可能であり、子供によりアクセス可能である。これらライターは、主として、製造コストをより高くする複雑な機構を有する。さらに、これらライターの一部を使用することは、大人にとってさえも困難であるまたは複雑である。
【０００６】
少なくともこれらの理由により、大人により使用が容易であるが子供により使用がより困難であるライターに対する必要性があり、そのため、ライターは、以下で詳述するように、回動着火サブセットを有する。
【先行技術文献】
【特許文献】
【０００７】
【特許文献１】国際公開第９７／０１７３４号パンフレット
【特許文献２】米国特許第５０９６４１４号明細書
【特許文献３】米国特許第５４９０７７３号明細書
【特許文献４】米国特許第５９７１７４８号明細書
【発明の概要】
【発明が解決しようとする課題】
【０００８】
本発明の目的は、失敗が少ないが安全な着火システムを有するライターを提供することである。
【０００９】
本発明の別の目的は、従来のライターと可能な限り類似して動作するライターを提供することであり、このライターは、ライターを点火する作動と同一場所において、まず、ライターをロック解除する作動であって本発明の一形態の場合においてスパークホイールをフードの外に引き出すステップを含む作動を実行することによって動作し、そのため、ユーザは、ライターを使用するための取扱説明書を必要としない。
【００１０】
本発明のさらに別の目的は、ライターであって、このライターのうち点火してガスを開放する機構を一体化する部分が単一のサブセットを構成し、このサブセットがライターの最終的な組み立てより前に最終的な組立体とは別個に組立可能である、ライターを提供することである。
【課題を解決するための手段】
【００１１】
本発明の一形態は、ガスライターを対象とし、このガスライターは、可燃性ガスを保持するための容器と、容器からガスを解放することを可能とするために容器の頂面に取り付けられたバルブと、バルブアクチュエータであって第１端部に配置された押しボタンとバルブアクチュエータ部材をバルブに接続するために第２端部に配置された接続組立体とを有するバルブアクチュエータと、押しボタンの下面及び容器の壁部に対して付勢された第１バネと、回転可能な２つのチークと同軸に取り付けられたスパークホイールと、チークを完全にまたは部分的に覆うように配置されたフードと、少なくとも２つの支持アームであって、各アームがチークと同軸に取り付けられた第１端部と容器に位置するベアリングへの回動接続部を有する第２端部とを有する、支持アームと、スパークホイールの下方に直角に配置されたスリーブと、スリーブ内に配置された第２バネと、スリーブ内で第２バネの頂面に配置された発火石と、を有する。
【００１２】
本発明の別の形態は、ガスライターを対象とし、このガスライターは、可燃性ガスを保持するための容器と、容器からガスを解放することを可能とするために容器の頂面に取り付けられたバルブと、バルブアクチュエータであって第１端部に配置された押しボタンとバルブアクチュエータをバルブに接続するために第２端部に配置された接続組立体とを有するバルブアクチュエータと、押しボタンの下面及び容器の壁部に対して付勢された第１バネと、回転可能な２つのチークと同軸に取り付けられたスパークホイールと、チークを完全に覆うように配置されたフードと、少なくとも２つの支持アームであって、各アームがチークと同軸に取り付けられた第１端部と容器に配置されたベアリングへの回動接続部を有する第２端部とを有する、支持アームと、スパークホイールの下方に直角に配置されたスリーブと、スリーブ内に配置された第２バネと、スリーブ内で第２バネの頂面に配置された発火石と、を有する。
【００１３】
本発明の一形態は、ガスライターを対象とし、このガスライターは、可燃性ガスを保持するための容器と、容器からガスを解放することを可能とするために容器の頂面に取り付けられたバルブと、バルブアクチュエータであって第１端部に配置された押しボタンとバルブアクチュエータ部材をバルブに接続するために第２端部に配置された接続組立体とを有するバルブアクチュエータと、押しボタンの下面及び容器の壁部に対して付勢された第１バネと、回転可能な２つのチークと同軸に取り付けられたスパークホイールと、チークを完全にまたは部分的に覆うように配置されたフードと、少なくとも２つの支持アームであって、各アームがチークと同軸に取り付けられた第１端部と容器に配置されたベアリングへの回動接続部を有する第２端部とを有する、支持アームと、スパークホイールの下方に直角に配置されたスリーブと、スリーブ内に配置された第２バネと、スリーブ内で第２バネの頂面に配置された発火石と、を有し、ライターが初期静止位置から最終点火位置まで動作するとき、少なくとも図４Ａ、図４Ｂ、図５Ａ及び図５Ｂに示すように、スパークホイール、チーク及びスリーブを有する点火・バルブ開放サブセット全体は、容器に対して回転する。
【図面の簡単な説明】
【００１４】
【図１】本発明の第１実施形態におけるライターを示す側面図であって、ライターがその静止位置にあり、スパークホイールがフードの内側にある、側面図である。
【図２】本発明の第１実施形態におけるライターを示す側面図であって、ライターが点火する過程のその中間位置にある、側面図である。
【図３】本発明の第１実施形態におけるライターを示す側面図であって、ライターが点火する過程のその最終位置にあり、親指の作動が点火後の炎を維持する、側面図である。
【図４Ａ】本発明の第１実施形態における点火・バルブ開放サブセットを示す外側面図である。
【図４Ｂ】本発明の第１実施形態における点火・バルブ開放サブセットを示す横断面図である。
【図５Ａ】本発明の第１実施形態における組み立て後の点火・バルブ開放サブセットを示す側面図である。
【図５Ｂ】本発明の第１実施形態における点火・バルブ開放サブセットを示す分解側面図である。
【図６】本発明の第２実施形態におけるライターを示す側面図であって、ライターがその静止位置にあり、スパークホイールがフードの内側にある、側面図である。
【図７】本発明の第２実施形態におけるライターを示す側面図であって、ライターが点火する過程のその中間位置にある、側面図である。
【図８】本発明の第２実施形態におけるライターを示す側面図であって、ライターが点火する過程のその最終位置にあり、親指の作動が点火後の炎を維持し、スパークホイールがその静止位置に向けて復帰し始める、側面図である。
【図９】本発明の一実施形態におけるライターの上側セクションを示す上面図であって、ライターのフードと変形不能な着火サブセットアクセス最小化リブに関連する具体的な機構とを示す、上面図である。
【図１０】図９に示すライターのフード及び他の機構を示す断面図である。
【図１１】技術的に公知のチークとその周縁部の形状とを示す側面図である。
【図１２】技術的に公知のスパークホイールに接続されたチークを示す上面図である。
【図１３】本発明の一実施形態におけるチークとその周縁部の形状とを示す側面図である。
【図１４】本発明の一実施形態におけるスパークホイールに接続されたチークを示す上面図である。
【発明を実施するための形態】
【００１５】
図面を参照すると、そして当業者により理解されるように、上記図１から図８に示すライターは、液化石油ガスを収容する容器１と、ガスを容器１から放出することを可能とするために容器１の好ましくは上面に取り付けられたバルブ２と、を有する。また、ライターは、スパークホイール５と協働する発火石１５を有し、このスパークホイールは、直接的にまたはスパークホイール５と同軸に接続された少なくともチーク６によって回転される。後述する本発明の実施形態は、容器１に対して移動可能であり、軸７回りで旋回可能であり、かつガス容器とは独立した着火システム及びガス開放システムを有する。
【００１６】
図１から図５Ｂは、本発明における第１実施形態のライターを示す。図１から図３は、ライターをさまざまな位置で示しており、例えば、図１は、静止位置にあるライターを示し、図２は、中間位置にあるライターを示し、図３は、最終点火位置にあるライターを示す。図４Ａ、図４Ｂ、図５Ａ及び図５Ｂは、着火システムの点火・バルブ開放機構をさまざまな視点で示しており、これらさまざまな視点は、図４Ｂにおいて横断面図を、図５Ｂにおいて分解図を、含む。これら図面それぞれは、本発明の第１実施形態に含まれる機構を示す。例えば、参照符号１は、燃料容器を示し、参照符号２は、開放されるとガスを放出すると共にバルブを閉鎖するとガスを容器内に収容することを可能とする開放／閉鎖バルブを示し、参照符号３は、ガスを放出して着火させるバルブ２の頭部を示し、参照符号４は、図５Ａ及び図５Ｂで最もよく示されるように、バルブステムが開口部を通過することを可能とする開口部を有するフォークを示しており、このフォークは、同様に図２及び図３に示すように、バルブ２の頭部３の肩部に作用してバルブ２を開放し、参照符号５は、図５Ｂで最もよく示されるスパークホイールを示し、参照符号６は、図５Ｂで最もよく示されるチークを示しており、この図５Ｂは、スパークホイール５の両側に配置された好ましくは２つのチークであって、一方のチーク６が図示のように内側にある雄型接続部を有し、他方のチークが図示のように内側にある雌型接続部を有する、２つのチークを示し、参照符号７は、着火システムが回転する軸を示し、参照符号８は、バルブ２を開放しかつ閉鎖するためにフォーク４に接続された押しボタンを示し、参照符号９は、図１に示すようにライターが静止位置にあるときにスパークホイール５及びチーク６を被覆するフードを示し、参照符号１０は、押しボタン８に接続されたバネを示し、参照符号１１は、バネ１４を保持する外側のほぼシリンダ状のスリーブを示し、参照符号１２は、スパークホイール５／チーク６の組立体をスリーブ１１に接続する支持アームを示しており、すなわち、支持アーム１２は、それらの基部において、図４Ａに示すように回動軸、好ましくは分岐型(split)の回動軸を有し、これら分岐型の回動軸は、ライターの本体の内側にあるシリンダ状のベアリング（図示略）と協働して点火システムが軸７回りに旋回することを確実にし、参照符号１３は、バネ１４をスリーブ１１の内側に配置したときにバネ１４を所定位置で保持するためのピン（図４Ｂ及び図５Ｂで最もよく示される）または固定組立体を示し、参照符号１４は、スリーブ１１の内側に配置されるバネ１４を示し、そして、参照符号１５は、一端部がバネ１４に当接して他端部がスパークホイール５と接触することになる発火石を示す。
【００１７】
第１実施形態で示す機構を理解したので、本発明におけるライターの動作を説明する。図１に示す初期静止位置において、スパークホイール５及びチーク６は、フード９の上側レベルの所定距離だけ下方において、完全にフード９の内側に配置されており、スパークホイール５及びチーク６は、図１に示す押しボタン８の下で作用するバネ１０の力によって、この位置で維持される。
【００１８】
点火の第１段階は、指でフード９の頂部に垂直な径方向力を付与するステップを含み、そのため、フード９の２つの高い縁部間の変形後、大人の指の軟塊は、スパークホイール５またはチーク６の周縁部に到達し、それを十分に押すことを確実にする。このため、スパークホイール５の頂部にある指の軟塊でフード９の頂部に支持されている指の水平運動Ｈ１により、水平運動Ｈ１は、スパークホイール５をその後退位置から図２に示す部分解放位置に引き出し、この部分解放位置において、スパークホイール５とチーク６の周縁部は、フード９から突出する。スパークホイール５のこの引出運動は、フォーク４の上端部とバルブ２の頭部３における下側部分／肩部との間の機能的遊び「ｄ」の結果としてガスを解放することなく、点火−ガス開放サブセットを旋回軸７回りで旋回させることによって得られる。
【００１９】
運動Ｒ２（図２参照）にしたがって回転力をチーク６にかけながら十分な径方向力を維持している場合、スパークホイール５をその軸回りで回転させ、このため、たくさんの火花をバルブ２の噴出部のガス出口３に向けて発生させることが可能となる。この回転運動には、好ましくは、垂直運動Ｖ３（図３に示す）にしたがって押しボタン８に指を下げることがすぐに続き、これは、点火−ガス開放システムをその旋回軸７回りでさらに旋回させることを招き、この旋回の最後の部分では、頭部３の肩部へのフォーク４の作用によってガス開放噴出部が上昇することが同時に起こる。
【００２０】
図１から図３は、スパークホイール５、チーク６、スリーブ１１及び軸７に関する関連構成部材を示す。図１に示しかつ上述のように、スパークホイール５及びチーク６は、ライターが静止位置にあるときにフード９の内側において前方位置に配置されており、スリーブ１１は、後方位置に配置されている。図２は、中間の垂直直立位置にあるライターを示しており、スパークホイール５及びチーク６の周縁部は、フード９から突出し、また、スリーブ１１は、軸７回りのその回転の結果として垂直直立位置に位置合わせされている。図３は、最終の点火位置にあるライターを示しており、スパークホイール５及びチーク６は、後方位置に配置され、スリーブ１１は、前方位置に配置される。
【００２１】
図１から図３に示すようなライターの好ましい設計により、着火システムは、子供により視認されにくくなりかつアクセスしにくくなることが可能となり、したがって、子供がライターを使用することをより困難とすることができる。当業者が理解することは、本明細書で使用されるように、フードをスパークホイール５及びチーク６の上方に「完全に」配置することが、図１に示すライターの側面から見ると、スパークホイール５及びチーク６がフード９の内側に配置され、チーク６の外部境界がフード９の外部境界の内側に配置されることを意味することである。同様に、当業者が理解することは、本明細書で使用されるように、図２及び図３に示すように、フードをスパークホイール５及びチーク６の上方に「部分的に」配置することが、スパークホイール５及びチーク６がフード９の外部境界の外側に部分的に配置され、チーク６の外部境界がフード９の外部境界の外側に部分的に配置されることを意味することである。図１に示すライターを上側からまたはライターの前方、例えば押しボタン８の前方から見る当業者は、スパークホイール５及びチーク６を視認してこれらにアクセスし、これらを引き出して着火工程を開始する。
【００２２】
図１から図３に示す第１実施形態における本発明は、同様に、図４Ａ、図４Ｂ、図５Ａ及び図５Ｂに示すような着火サブセットを提供することが可能である。着火サブセットは、好ましくは、図４Ａ、図４Ｂ、図５Ａ及び図５Ｂに示す構成部材の全てを有するが、技術的に公知である他の機構を有してもよい。このようなシステムの利点は、ガス容器とは独立した着火システム及びガス開放システムを提供することである。また、このシステムは、当業者がライターを最終的に組み立てる前に着火サブシステムを組み付けることを可能とする。さらに、これら図面に示す着火サブセットは、着火サブセットを組み立てて軸７回りに旋回または回転させたりライターの本体及び容器１に対して回転させたりすると、点火すること及びガスを開放することの双方の機構を統合する。
【００２３】
図４Ａ及び図４Ｂに示す着火サブセットは、ほぼ十字形を有する全体構造を有する。図５Ａに示すように、スパークホイール５は、チーク６間に配置されており、図５Ｂに示す各チーク６は、共にスパークホイール５に接続することが可能であり、そのため、チーク６をスピンさせることは、スパークホイール５をスピンさせることをもたらす。押しボタン８を図３に示すように押下すると、このような作動は、発火石１５を回転するスパークホイール５と接触させ、たくさんの火花を引き起こし、開放したバルブ２から放出されるガスを点火する。図４Ａ、図４Ｂ、図５Ａ及び図５Ｂに示す着火サブセットは、スパークホイール５及びチーク６を支持しかつ図４Ａに示す好ましくは分岐型の回動接続部を有するアーム１２を有し、これは、着火サブセットが容器本体に配置されたシリンダ状のベアリングにスナップ係合するまたは接続することを可能とする。この回動接続部により、着火サブセットは、軸７回りに回転することが可能となり、ライターが図１に示す静止位置にあるときに子供に対してスパークホイール５及びチーク６をアクセスしにくくする利益をもたらす。アーム１２の好ましい形状は、図４Ａに示されており、全体的にモンキーレンチ形状を有しており、このレンチは、図示のように分岐型の回動部を有してアーム１２を容器本体に配置された技術的に公知のベアリングに接続する。アーム１２の他端部またはチーク６に接続される端部において、技術的に公知の手段は、チーク６をアーム１２に接続するために設けられている。当業者がすぐに理解することは、他の手段を用いてアーム１２を容器本体に接続し、着火サブセットを軸７回りで回転させることを可能としてもよいことである。当業者が理解することは、スパークホイール自体だけではなく図４Ａ、図４Ｂ、図５Ａ及び図５Ｂに示すような点火・バルブ開放サブセット全体が軸７回りで回動可能であることである。また、当業者が同様に理解することは、フォーク４、押しボタン８、アーム１２及びスリーブ１１が位置ユニットとして示されているが、これら機構は、一構成部材として製造される必要はない、すなわち、これらは、個別に接続されて所望の組立体を形成する個別の構成部材であってもよい。組み立てると、点火サブセットは、容器のキャビティ内に配置され、そのため、点火サブセットは、軸７回りに回転する。
【００２４】
本発明の第２実施形態は、第１実施形態と共通の機構を有する。例えば、本発明の第２実施形態は、燃料容器１９、開放／閉鎖バルブ２０、バルブ２０の頭部３０、フォーク４０、スパークホイール５０、チーク６０、押しボタン８０、フード９０、バネ１００及びアーム１２０を有する。また、図６から図８は、図１から図３と同様であり、図６は、静止位置にあるライターであってスパークホイール５０がフード９０の内側にあるライターを示し、図７は、中間位置にあるライターであってスパークホイール５０がフード９０の外の位置にあるライターを示し、図８は、点火後の炎を維持する位置にあるライターであって、図８に示す力Ｖ３にしたがう保持作動がバルブ２０を解放させたままとするために、スパークホイール５０がバネ１００の作用を受けてその後退位置に向けて復帰し始める、ライターを示す。また、図６に示すように、ガス開放フォーク４０は、シリンダ状ベアリング７０内で自由に回転する回動によって、フォーク４０において現れる軸回りで従来の方法で回動する。
【００２５】
図６に示す初期の静止位置において、スパークホイール５０及びそのチーク６０は、フード９０の上側レベルの下方の所定位置において、全体的にフード９０の内側に配置されている。スパークホイール５０及びそのチーク６０は、バネ１００の作用の結果としてこの位置で維持されており、この位置において、バネ１００は、容器本体の壁部に好ましくは接続された一端部と、押しボタン８０に接続された他端部と、を有する。また、本発明の第２実施形態は、板バネ１３０を有し、この板バネは、容器壁部に好ましくは配置される一端部と、スリーブ１１０に当接して作用する第２端部と、を有し、これにより、子供にとってスパークホイール５０及びチーク６０をフード９０から引き出すことをより困難とする。図６から図８に示すように、板バネ１３０は、バネ１００に隣接して配置されており、バネ１００と協働して機能する。点火サブセットは、発火石バネ（図示略）を収容する中空のシリンダ状スリーブ１１０と、スパークホイール５０に対して押し付けられた発火石（図示略）と、を有する。点火サブセットは、この中空支持部を提供するアーム１２０に配置されたシリンダ状ベアリングにより現されたスパークホイール５０及びチーク６０のための回転軸回りで回転自在である。点火サブセットは、容器のキャビティ内に配置されており、そのため、点火サブセットは、バネ１００及び板バネ１３０の作用を受けてチーク６０−スパークホイール５０のサブセット全体をフード９０の内側に維持する初期位置から、スパークホイール５０−チーク６０のサブセットを部分的にフード９０から引き出す後退位置まで、旋回軸回りに旋回する。
【００２６】
本発明の第２実施形態において、点火の第１段階は、指で垂直径方向力をフード９０の頂部に付与するステップを有し、そのため、大人の指の軟塊は、フード９０の２つの高い縁部間の変形の後に、スパークホイール５０またはチーク６０の周縁部に到達し、これへの十分な圧力を確保する。このため、指の軟塊がスパークホイール５０の頂部にある状態でフード９０の頂部で支持された指の水平運動Ｈ１（図６）により、スパークホイール５０及びチーク６０は、図６に示すこれらの後退位置から部分開放位置となるまで引き出され、スパークホイール５０及びチーク６０の周縁部は、図７に示すように、フード９０から突出する。スパークホイール５０のこの引き出しは、そのキャビティにある点火サブセットをその軸回りで後方旋回させることによって得られる。
【００２７】
運動Ｒ２（図７）にしたがって回転力をチーク６０にかけながら十分な径方向力を維持すると、これにより、スパークホイール５０がその軸回りで回転し、このため、たくさんの火花をバルブ２０の頭部３０からガス出口の方向に発生させることが可能となる。この回転運動には、垂直運動Ｖ３（図８）にしたがって指をフォーク４０のプッシャに落下させることがすぐに続き、これは、フォーク４０をその軸回りで回転させることをもたらし、この動作は、頭部３０の肩部へのフォーク４０の作用によってガス開放噴射部が上昇することが同時に起こる。この垂直運動Ｖ３中において、点火サブセットは、バネ１００とスパークホイール５０及びチーク６０とをフード９０の下方にあるこれらの後退位置へ後方に付勢する板バネ１３０との作用を受けてその初期位置に復帰する。
【００２８】
図９及び図１０は、本発明の別の実施形態を示しており、ライターのフード９の好ましい設計に注目し、スパークホイール５及びチーク６の引き出し並びにスパークホイール５のさらなる回転を、大人によるライターの操作に影響を与えることなく子供にとってより困難とする。図９及び図１０に示すような初期静止位置において、スパークホイール５及びチーク６は、フード９の上側レベルの下方で所定の距離においてフード９の内側に完全に配置されている。子供が指をガス出口２２の上方においてフード９の内側に入れることを防止するため、変形不能なアクセス最小化リブ９ａ及び９ｂは、図９及び図１０に示すように、フード９の両側から延在し、好ましくはガス出口２２の側においてチーク６の前方上側部分を好ましくは部分的に覆い、このような前方上側セクションをユーザの指に対してアクセス不能とする。変形不能なアクセス最小化リブ９ａ及び９ｂは、好ましくは、図９及び図１０に示すように、チーク６の周縁部の前方部分の上方において横方向に延在しており、そのため、アクセス最小化リブ９ａ、９ｂは、ガス出口の側においてチーク６の前方上側部分を部分的に被覆し、子供による着火サブセットへのアクセスを制限する。横方向に延在させると、アクセス最小化リブ９ａ及び９ｂは、図９に示すように個別である場合に、スパークホイール５の少なくとも上方においてチーク６の上側部分を覆うように延在する。さらに、各アクセス最小化リブ９ａ、９ｂの形状は、図９及び図１０に示す形状、すなわち、チーク６の周縁部の形状に対応するほぼ凹形状を有する下側（図示略）を有してもよい。また、変形不能なアクセス最小化リブ９ａ及び９ｂは、２つの分離した耳部として図９に示されているが、本発明の範囲は、フード９の一側からフード９の他側までの硬質の長方形構造を有するが、図９に示すように、素子に破断部を有さない１つの変形不能なアクセス最小化リブを含む。また、本発明の範囲は、同様に、形状がチークの周縁部の前方部分の上方を横断するように延在する限り、他の形状及び構造を有する変形不能なアクセス最小化リブ９ａ及び９ｂを含む。
【００２９】
図１１から図１４は、本発明の別の実施形態に関連する機構を示しており、図１１及び図１２は、技術的に公知であるチーク６の周縁部の設計に関する機構を有し、図１３及び図１４は、本発明の一実施形態におけるチークの周縁部の設計に関する機構を示す。図１３及び図１４に示す機構は、大人によるライターの操作に影響を与えることなく、子供により着火サブセットを引き出してさらに回転させることをより困難にする。
【００３０】
技術的に公知のように、図１１に示すチーク６は、外径がスパークホイール５よりも大きく、チーク６の周縁部には、主として、鋸歯状とされており、各歯部６ａは、図１１に示す三角形セクションを有し、チーク６の全周にわたって１つの歯部６ａから隣接する歯部６ａまで延在する長さを有する。図１１及び図１２に示すこのようなチークは、大人の指の軟塊の接線方向の作動を改善し、この作動により、大人がスパークホイール５を引き出す及び／または回転させることを可能とする。フードの内側に完全にまたは部分的に配置されたスパークホイール５を有する本発明のライターにおいて、子供が着火サブセットを回転させるための１つの方法は、彼の１本の指の爪を図１１に示すようにチーク６の歯部６ａ間に入れることである。
【００３１】
本発明の一実施形態は、子供の爪がチーク６の周縁部にある凹凸に達して凹凸を捕らえることを防止するために、図１３及び図１４に示す手段を提供する。チーク６の各歯部６ａは、狭いリブ６ｂによって次の歯部に接続されており、このリブは、歯部６ａの頂点の下方の点において１つの歯部から隣接する歯部の垂直脚部までの長さに等しい幅を有するが、歯部６ａの高度とほぼ同一の高度を有する。好ましい実施形態は、リブ６ｂを有し、このリブは、若干湾曲しており、各チークのスパークホイール５側に好ましくは位置するチーク６の全周縁部回りに全チーク抗捕捉リブ６ｃを形成する。このような設計は、子供がチーク６の内側リングを捕らえる能力を低減する。リブ６ｂに関する好ましい実施形態は、図１４において最もよく示されており、この図１４は、チーク抗捕捉リブ６ｃを示し、このチーク抗捕捉リブは、各チーク６のスパークホイール５側にのみ位置し、歯部６ａの高度とほぼ同一の高度を有する。他の実施形態におけるリブ６ｃは、歯部の全幅にわたるリブを有し、各リブは、好ましくは、凹形状を有する、または、リブ６ｂは、チークの内側から外側までもしくはチーク６の外側から内側まで、高さが減少する。図１３は、チーク６の好ましい設計を示しており、このチークは、リブ６ｂにより分離された約３２の歯部を有する。当業者がすぐに理解することは、設計が、３２より多いまたは少ない歯部を有してもよく、リブの高さ及びタイプが異なる歯部を有してもよいことである。
【００３２】
当業者が理解することは、本発明の態様が上述したまたは図面に示したような明細書の特徴に限定されないことである。明細書は、当業者が過度の検証を必要とすることなく本発明の態様を作成して使用することを可能とするために記載されているが、明細書は、本発明の実施形態の範囲を限定するために記載されていない。
【００３３】
当業者は、以下の特徴を単独で、部分的に寄せ集めてまたは完全に組み合わせて使用してもよいことを想定する。
−  ライターの初期静止位置において、フード（９、９０）は、チーク（６、６０）を完全に覆うように配置されている。
−  ライターが初期静止位置から最終点火位置まで作動しているときに、スパークホイール（５、５０）、チーク（６、６０）及びスリーブ（１１、１１０）は、容器（１、１９）に対して回転する。
−  バルブアクチュエータ（４）、バネ（１０）、スパークホイール（５）、チーク（６）、支持アーム（１２）、スリーブ（１１）、第２バネ（１４）及び発火石（１５）は、一体的なユニットである。あるいは、スパークホイール（５０）、チーク（６０）、スリーブ（１１０）、第２バネ（１４）及び発火石（１５）を有する着火システムは、バルブアクチュエータ（４０）及びバルブ（２０）を有するガス開放システムから独立している。
−  初期静止位置において、ライターの側面視から、スパークホイール（５、５０）及びチーク（６、６０）は、フードの下で視認可能でない。
−  ライターの最終点火位置において、フード（９、９０）は、チーク（６、６０）を部分的に覆うように配置され、押しボタン（８、８０）が、押下されている。
−  回動接続部は、分岐型の回動接続部を有する。
−  初期静止位置において、発火石（１５）は、スパークホイールと接触しない。
−  ライターの中間位置において、フード（９、９０）は、チーク（６、６０）を部分的に覆うように配置されている。
−  チーク（６、６０）は、周縁部の回りにある複数の歯部（６ａ）を有し、歯部それぞれは、チークの内縁部に配置されたリブ（６ｂ、６ｃ）によって隣接する歯部に接続されている。
−  リブ（６ｂ、６ｃ）それぞれは、凹形状を有する。
−  リブ（６ｂ、６ｃ）それぞれは、歯部（６ａ）それぞれの高さとほぼ同等の高さを有する。
−  フードは、フード（９）の一側から他側に向けて横方向に延在するアクセス最小化部材を有し、チーク（６）の上側部分を覆う。
−  アクセス最小化部材は、ガス出口（２２）の側部にあるチーク（６）の前方上側部分を覆う。
−  アクセス最小化部材は、フードの一側からフードの他側まで延在するほぼ矩形状を有する一部材を有する。
−  アクセス最小化部材は、少なくとも２つの部材（９ａ、９ｂ）を有し、部材それぞれは、フードの一側から延在するが他方の部材に接続されないほぼ矩形状を有する。
−  第１バネ（１０、１００）は、押しボタンアクチュエータの下面に対して付勢されている。
−  可燃性ガスは、液化石油ガスを含む。
−  初期静止位置において、押しボタン（８、８０）は、押下されておらず、バルブ（２、２０）は、閉鎖位置にある。
−  最終点火位置において、バルブ（２、２０）は、開放位置にある。
−  初期静止位置において、第１バネ（１０、１００）は、伸長状態にある。
−  最終点火位置において、第１バネ（１０、１００）は、圧縮状態にある。
−  最終点火位置において、発火石（１５）は、スパークホイール（５、５０）と接触する。
【符号の説明】
【００３４】
１，１９  容器，燃料容器、２，２０  閉鎖バルブ，バルブ、５，５０  スパークホイール、６，６０  チーク，歯輪、６ａ  歯部、６ｂ，６ｃ  リブ，チーク抗捕捉リブ、８，８０  押しボタン、９，９０  フード、１０，１００  第１バネ，バネ、１１，１１０  スリーブ、１２，１２０  支持アーム、１４  第２バネ，バネ、１５  発火石、２２  ガス出口、４０  ガス開放フォーク，フォーク，バルブアクチュエータ
【図１】
0005922650.tif 000002
【図２】
0005922650.tif 000003
【図３】
0005922650.tif 000004
【図４Ａ】
0005922650.tif 000005
【図４Ｂ】
0005922650.tif 000006
【図５Ａ】
0005922650.tif 000007
【図５Ｂ】
0005922650.tif 000008
【図６】
0005922650.tif 000009
【図７】
0005922650.tif 000010
【図８】
0005922650.tif 000011
【図９】
0005922650.tif 000012
【図１０】
0005922650.tif 000013
【図１１】
0005922650.tif 000014
【図１２】
0005922650.tif 000015
【図１３】
0005922650.tif 000016
【図１４】
0005922650.tif 000017